(57)【要約】【課題】  ワンタッチで簡単にズボンを吊り下げることができ、且つ吊り下げた後はズボンが下方に滑り落ちることなく、併せて製造容易で、製造コストの低減化をも実現しうるハンガーを提供することを目的とする。【解決手段】  Ｘ状に交叉したワイヤー締付具３と、前記ワイヤー締付具の交叉部３０より下方に取り付けた一対の挟持部材２，２と、前記交叉部より上方に形成した把持部３３と、前記交叉部に密着して嵌合する保持リング４とからなり、前記交叉部より上方が前記一対の挟持部材を開く方向に付勢するバネとした。【選択図】図１
0003122860.tif 000002
【実用新案登録請求の範囲】
【請求項１】
Ｘ状に交叉したワイヤー締付具と、
前記ワイヤー締付具の交叉部より下方に取り付けた一対の挟持部材と、
前記交叉部より上方に形成した把持部と、
前記交叉部に密着して嵌合する保持リングと、からなり、
前記交叉部より上方が前記一対の挟持部材を開く方向に付勢するバネであることを特徴とする、ハンガー。
【考案の詳細な説明】
【技術分野】
【０００１】  この考案は、ズボンまたはスカート等を吊下げるハンガーに関する。
【背景技術】
【０００２】  従来この種のハンガーとしては、図５（Ａ）に示すような大型のクリップ形状のハンガー１０でズボンの裾を挟んで吊り下げたり、図５（Ｂ）に示すように掛棒１１に設けた左右一対のクリップ１２，１３でズボンまたはスカートを挟んで吊り下げたり、あるいは図５（Ｃ）に示すように単に掛棒１４にズボン等を二つ折りにして吊り下げるようにしたものがある。
【考案の開示】
【考案が解決しようとする課題】
【０００３】  従来のハンガーでは、次のような問題点がある。
＜イ＞図５（Ａ）のハンガー１０では、クリップの開閉に相当の労力（吊るしたズボンが簡単に落ちないようにバネが強い）を要し、しかも片手でクリップを開いたまま、他方の手でズボンを取り付けるなどズボンの着脱に手間が掛かる欠点があった。
＜ロ＞図５（Ｂ）に示すものは、左右一対のクリップ１２，１３で１個所づつ挟む必要があり、取り外しの際もズボンまたはスカートを持った上で一つづつ外す必要があって、煩わしさは解消できなかった。
＜ハ＞図５（Ｃ）に示すように掛棒１４にズボン等を吊り下げる場合は、服を掛けたままズボンを掛けると服が脱落しやすく、またズボンやスカートを二つ折りにしてハンガーの内側を通すなどして掛棒１４に掛けるため、煩わしく手間が掛かり、ワンタッチで吊り下げるという訳にはいかない。
掛棒１４に滑り止め部材が設けられていないものにあっては、吊り下げられたズボン等が下方に滑り落ちてしまうという問題もある。【０００４】  本考案は、以上の問題点に鑑みて考案したもので、ワンタッチで簡単にズボン等を吊り下げることができ、且つ吊り下げた後はズボン等が下方に滑り落ちることなく、併せて製造容易で、製造コストの低減化をも実現しうるハンガーを提供することを目的としている。
【課題を解決するための手段】
【０００５】  上記のような目的を達成するために、本考案のハンガーは、Ｘ状に交叉したワイヤー締付具と、前記ワイヤー締付具の交叉部より下方に取り付けた一対の挟持部材と、前記交叉部より上方に形成した把持部と、前記交叉部に密着して嵌合する保持リングとからなり、前記交叉部より上方が前記一対の挟持部材を開く方向に付勢するバネであることを特徴とするものである。【０００６】  上記構成によれば挟持部材と把持部は、交叉部を支点にして交互に開閉する構造となっており、一対の挟持部材の間にズボンを挟んで押し付けることによって挟持部材がズボンを締め付けることになる。
挟持部材を押し付けることによって交叉部の位置が下方へ移動し、交叉部の下方移動とともに保持リングもその嵌合状態を保ちながら下方へ移動する。
交叉部に密着して嵌合する保持リングは、その内面側がワイヤー締付具の傾斜面に密着しているため、保持リングの上方への移動が規制され、締め付けられた挟持部材はその間隔を開くことはない。
したがって、一対の挟持部材の間にズボンを吊り下げることができる。
一方、把持部を挟んで押すことによって、前記と逆に挟持部材の締付が解放されるので、簡単にズボンを取り外すことができる。
【考案の効果】
【０００７】  本考案は、以上説明したようになるから、次のような効果を得ることができる。
＜イ＞ズボンやスカートを吊り下げる場合は、一対の挟持部材を開いてこの間にズボンやスカートを入れて挟持部材を押して挟みつけるだけでよく、ワンタッチで簡単に行うことができる。
＜ロ＞保持リングがワイヤー締付具の傾斜面に密着し、保持リングの上方への移動が規制され、挟持部材の締付が継続されるので、ズボンが下方に滑り落ちることがない。
＜ハ＞線鋼材を折り曲げてワイヤー締付具を形成し、これに一対の挟持部材を取り付けるとともに保持リングを嵌合させるだけでよいので、製造容易で、製造コストの低減化を実現することができる。
【考案を実施するための最良の形態】
【０００８】  以下、図面を参照しながら、本考案に係る実施の形態について説明する。
図１はハンガーの斜視図で、図２はハンガーを開いた状態を示す図で、図３はハンガーでズボンを吊り下げた状態を示す図である。図４はワイヤー締付具の作動状態を示す説明図である。【０００９】＜イ＞ハンガー
図１に示すように、ハンガー１は一対の挟持部材２，２、ワイヤー締付具３及び保持リング４とからなる。
水平方向に相対抗して配置された挟持部材２，２は、例えば金属またはプラスチック等で構成し、中央部２１を外側に湾曲させてある。
挟持部材２，２を金属で構成した場合は、ズボン５を傷つけることがないように全体を軟質のプラスチック等で覆っておく。
ズボン５を挟む直線部分には、その相対向する内面に摩擦係数の大きな材質よりなる滑り止め２２を取り付けてある。【００１０】＜ロ＞ワイヤー締付具
ワイヤー締付具３は、例えば線鋼材を折り曲げて構成され、図から分かるように挟持部材２，２の中央部２１より垂直に立ち上がり、そのわずかに上方で互いに交叉する傾斜面３１，３２を持つように折り曲げられてＸ状の交叉部３０が形成されている。
傾斜面３１，３２から先は、略円形に折り曲げた把持部３３が形成され、さらにＵ字形に曲折したフック部３４が形成されている。
本例では、１本の線鋼材をフック部３４で折り返してワイヤー締付具３を構成しているが、２本の線鋼材を用いてフック部３４の箇所で結合してもよい。
ワイヤー締付具３の交叉部３０から上方は、一対の挟持部材２，２を開く方向に付勢するバネとなっている。
即ち、ワイヤー締付具３は、フック部３４を頂点にして下方に一対の挟持部材２，２を取り付けてバネ状に構成されている。
バネ状に構成されたワイヤー締付具３の交叉部３０に、外方より密着して環状の保持リング４を嵌めてワイヤー締付具３を拘束することによって、ワイヤー締付具３を所定の状態に維持するようになっている。【００１１】＜ハ＞ワイヤー締付具の作動状態
図４から分かるように一対の挟持部材２，２と把持部３３との関係は、ワイヤー締付具３がＸ状に交叉することによって形成される交叉部３０を支点にして交互に開閉する構造となっている。
したがって、一対の挟持部材２，２の間隔を狭めると、ワイヤー締付具３の交叉部３０は下方（挟持部材２，２側）へ移動し、交叉部３０に嵌合している保持リング４もその嵌合状態を保ちながら下方へ移動し、ワイヤー締付具３０は２点鎖線で示す状態となる。
このとき保持リング４の内面側は、ワイヤー締付具３の傾斜面３１，３２に密着しているため、保持リング４の上方への移動が規制され、挟持部材２，２の締付を継続するとともに挟持部材２，２を開くことができないようになっている。【００１２】  逆に把持部３３を押し付けてその間隔を狭めると、保持リング４の移動規制を解除するとともに交叉部３０は上方（フック部３４側）へ移動し、交叉部３０に嵌合している保持リング４もその嵌合状態を保ちながら上方へ移動し、ワイヤー締付具３の挟持部材２，２への締付が解放されるようになっている。【００１３】＜ニ＞ハンガーの使用方法
実際にハンガーにズボンを吊り下げる場合の手順を説明する。
先ず、フック部３４を洋服ダンスのバーなどに掛け、図２に示すように把持部３３を指で押して挟持部材２，２を開いておく。
把持部３３から手を離しても、保持リング４が交叉部３０に密着して嵌合しているので、挟持部材２，２は開いたままとなっている。
図３に示すように挟持部材２，２の間にズボン５の裾を挿入し、手で挟持部材２，２を押し付けながらズボン５を挟みつける。
挟持部材２，２から手を離しても保持リング４が交叉部３０に密着して嵌合しているので、挟持部材２，２による締付は継続しており、ズボン５は安定して吊り下げられている。【００１４】  一方、取り外しの際はズボン５の裾を持ちながら、他方の手で図２に示すように把持部３３を押し付けると、前記と逆に一対の挟持部材２，２が容易に開いてズボン５を取り外すことができる。【００１５】  このように開いている挟持部材２，２をズボン５を挟み込む方向へ移動させるだけの簡単な動作によりズボン５が確実に保持され、把持部３３を互いに近接させることでズボン５を取り出すことができるものである。
【図面の簡単な説明】
【００１６】
【図１】ハンガーの斜視図。
【図２】ハンガーを開いた状態を示す図。
【図３】ハンガーでズボンを吊り下げた状態を示す図。
【図４】ワイヤー締付具の作動状態を示す説明図。
【図５】従来のハンガーを示す図で、（Ａ）はクリップ形状のハンガー、（Ｂ）は掛棒に一対のクリップを設けたハンガーを示し、（Ｃ）は掛棒にズボンを二つ折りにして吊り下げた状態を示す図。
【符号の説明】
【００１７】１・・・・ハンガー
２・・・・挟持部材
３・・・・ワイヤー締付具
３０・・・交叉部
３１，３２・・・傾斜面
３３・・・把持部
３４・・・フック部
４・・・・保持リング
５・・・・ズボン
【図１】
0003122860.tif 000003
【図２】
0003122860.tif 000004
【図３】
0003122860.tif 000005
【図４】
0003122860.tif 000006
【図５】
0003122860.tif 000007